(57)【要約】  本発明は、間欠動作実行時に、ユーザ要求への応答性を向上することができるコンテンツ再生装置を提供することを目的とする。  本発明のコンテンツ再生装置は、操作入力部１１００と、システム状態管理部１２１０と、システム情報格納部１２２０と、コンテンツ再生制御部(A)１２３０と、次々状態候補抽出部１２４０と、コンテンツ再生制御有無判定部１２５０と、コンテンツ再生部１３００とを備え、コンテンツ再生制御有無判定部１２５０が次々状態候補抽出部１２４０によって抽出されたシステム次々状態候補情報中にコンテンツ再生制御に関する候補が存在するか否かを判定する。コンテンツ再生制御に関するユーザ要求が発生する可能性がある場合にはコンテンツ再生部１３００の間欠動作間隔を短く設定し、ユーザ要求が発生する可能性がない場合にはコンテンツ再生部１３００の間欠動作間隔を長く設定することによって、ユーザ要求の発生が予測される場合にユーザ要求への応答性を向上する。
2007125737.tif 000002
【特許請求の範囲】
【請求項１】
コンテンツの再生データを生成する再生データ生成部と、
前記再生データ生成部によって生成された再生データを格納する再生データ記憶部と、
前記再生データ記憶部に格納された再生データを実時間で読み出して再生する再生処理部とを備えたコンテンツ再生装置において、
前記実時間より速い速度で前記再生データを生成することで間欠動作するよう前記再生データ生成部を制御する再生データ生成制御部と、
前記コンテンツ再生装置の状態を遷移させる操作がなされる操作入力部と、
前記操作入力部になされた操作によって前記再生処理部の再生状態が変更される可能性があるか否かを判断する装置状態判断部と、をさらに備え、
前記再生データ生成制御部は、前記再生処理部によって前記再生データが再生されているときに、前記装置状態判断部による判断の結果に基づいて前記間欠動作の周期を変更することを特徴とするコンテンツ再生装置。
【請求項２】
前記再生データ生成制御部は、前記再生処理部の再生状態が変更される可能性がないと前記装置状態判断部によって判断されたときより、前記再生処理部の再生状態が変更される可能性があると判断されたときの方が短くなるよう前記間欠動作の周期を変更することを特徴とする請求項１に記載のコンテンツ再生装置。
【請求項３】
前記再生データ生成制御部は、前記再生処理部の再生状態が変更される可能性があると前記装置状態判断部によって判断されたときより、前記再生処理部の再生状態が変更される可能性がないと判断されたときの方が長くなるよう前記間欠動作の周期を変更することを特徴とする請求項１に記載のコンテンツ再生装置。
【請求項４】
前記再生データ生成制御部は、前記操作入力部が操作されて前記再生処理部の再生状態が変更される可能性がないと前記装置状態判断部によって判断された場合には、前記再生処理部の再生状態が変更される可能性があると前記装置状態判断部によって判断されることなく一定時間が経過したときに、前記間欠動作の周期が長くなるよう変更することを特徴とする請求項３に記載のコンテンツ再生装置。
【請求項５】
前記再生データ生成制御部は、前記間欠動作の稼動期間に前記再生データ生成部に生成させる再生データの量を調整することによって前記間欠動作の周期を変更することを特徴とする請求項１に記載のコンテンツ再生装置。
【請求項６】
前記再生データ生成制御部は、タイマを有し、前記間欠動作の稼動期間を前記タイマを用いて調整することによって前記間欠動作の周期を変更することを特徴とする請求項１に記載のコンテンツ再生装置。
【請求項７】
前記再生データ生成制御部は、前記再生データ記憶部のデータ格納量の閾値を調整することによって前記間欠動作の周期を変更することを特徴とする請求項１に記載のコンテンツ再生装置。
【請求項８】
前記間欠動作の停止期間に前記再生処理部に供給するクロックおよび電源の少なくとも一方を制限するクロック／電源制御部を備えたことを特徴とする請求項１に記載のコンテンツ再生装置。
【発明の詳細な説明】
【技術分野】
【０００１】
本発明は、オーディオやビデオなどのAVコンテンツ再生装置に関するものであり、特にコンテンツ再生における消費電力の低減と応答性向上を目的とした携帯機器向けのコンテンツ再生装置に関するものである。
【背景技術】
【０００２】
従来のコンテンツ再生装置としては、特に再生データを記憶部に格納することによって間欠再生制御を実現するものがあった（例えば、特許文献１参照）。【０００３】
図１０(a),(b),図１１(a)は特許文献１に記載された従来のコンテンツ再生装置を示すものであり、図１１（b）は特許文献１の図１を示している。【０００４】
図１２(a),（b）は特許文献１に記載された従来のコンテンツ再生処理の流れ図であり、以下、流れ図にしたがって図１０(a),(b),１１(a)に示した従来のコンテンツ再生装置の動作を説明する。【０００５】
図１２（a）の流れ図は、操作入力部１１００およびシステム制御部２２００を構成するシステム状態管理部１２１０、システム情報格納部１２２０、コンテンツ再生制御部（B）２２３０の処理を示している。操作入力部１１００がユーザ要求を入力する（S1001）。システム状態管理部１２１０は、システム情報格納部１２２０からシステム状態遷移情報と現状態情報とを読み出し、ユーザ要求に従い現状態（"ｎ−１"と定義する）から次状態（"ｎ"と定義する）に遷移させる（S1002）。コンテンツ再生制御部（B）２２３０は、次状態"ｎ"で必要な処理（例えば、早送り再生）を実施するためにコンテンツ再生部１３００を制御する（S1003）。【０００６】
図１２(b)の流れ図は、コンテンツ再生部１３００を構成する再生データ生成部１３１０、コンテンツ記憶部１３３０、再生データ記憶部１３４０の制御フロー、すなわちコンテンツ再生制御部（B）２２３０の処理を示している。コンテンツ再生制御部（B）２２３０より指示（例えば、再生指示）を受けた再生データ生成部１３１０は、コンテンツ記憶部１３３０からコンテンツを読み出し再生データを生成する（S1102）。コンテンツ再生制御部（B）２２３０は、再生データ生成部１３１０が生成した再生データを再生データ記憶部１３４０に格納する（S1103）。コンテンツ再生制御部（B）２２３０は、再生データ記憶部１３４０の空き領域を閾値αによって判断し、閾値αより大きい空き領域が存在する場合（判定結果＝NO）にはS1102に処理を戻す（S1104）。コンテンツ再生制御部（B）２２３０は、再生データ記憶部１３４０の空き領域が閾値α以下である場合には（判定結果＝YES）、再生データ記憶部１３４０の空き領域が閾値β以上になるまでウエイトする（S1105）。なお、図１２(a)、(b)には記載していないが、再生処理部１３２０は常に再生データ記憶部１３４０に格納された再生データを読みだし再生を続けている。【０００７】
図１３は、図１２記載の流れ図により制御した特許文献１に記載された従来のコンテンツ再生装置における再生データ記憶部１３４０のデータ格納量の推移を示している。なお、図１３において、縦軸に付したαおよびβは、再生データ記憶部１３４０の空き容量がそれぞれ閾値αおよびβになったときの再生データ記憶部１３４０のデータ格納量を示している。【０００８】
図１３は、再生データ記憶部１３４０に蓄積された再生データの格納量はαからβ間を往来することを示す。αを超えて再生データが格納されるのは図１２のS1104の判定タイミングによるものであり、βを超えて再生データが消費されるのは図１２のS1105の判定タイミングによるものである。【０００９】
このように特許文献１に記載された従来のコンテンツ再生装置は、再生データ生成部１３１０を再生処理部１３２０より高速に動作させ、再生処理部１３２０が再生する再生データをあらかじめ再生データ記憶部１３４０に格納しておくことによって、再生処理部１３２０が動作中でも再生データ生成部１３１０を停止可能としており、また、特許文献２に記載された従来のコンテンツ再生装置は、停止中の再生データ生成部１３１０の電力を遮断することによって、再生データ生成部１３１０が停止時に消費する電力を低減している。
【特許文献１】特開平３−４０２６９号公報
【特許文献２】特開平７−１６１０４３号公報
【発明の開示】
【発明が解決しようとする課題】
【００１０】
しかしながら、従来のコンテンツ再生装置には、あらかじめ再生データ記憶部１３４０に再生データを格納することによる課題が発生する。図１４（a）,（b）を用いて従来のコンテンツ再生装置に発生する課題を説明する。なお、図１４（a）,（b）において、縦軸に付したαおよびβは、再生データ記憶部１３４０の空き容量がそれぞれ閾値αおよびβになったときの再生データ記憶部１３４０のデータ格納量を示している。【００１１】
図１４（a）は、時刻T１にユーザ要求が発生した場合の再生データ記憶部１３４０のデータ格納量の推移を示しており、従来のコンテンツ再生装置は、時刻T1までに再生データ記憶部１３４０に格納された再生データを消費する時刻T2まではユーザ要求に未対応のコンテンツを再生するため、ユーザ要求への応答性が低下するといった課題を有する。【００１２】
また、図１４（b）は、図１４(a)と異なり時刻T1でユーザ要求に未対応のコンテンツを一旦消去し、改めてユーザ要求に対応したコンテンツを再生データ記憶部１３４０に格納した場合のデータ格納量の推移を示している。この場合、従来のコンテンツ再生装置は、時刻T1から時刻T3までに再生する予定であった再生データを生成するために必要であった電力を無駄に消費するといった課題を有する。【００１３】
本発明は、前記従来の課題を解決するもので、コンテンツ再生時の消費電力の低減とユーザ要求への応答性向上を可能としたコンテンツ再生装置を提供することを目的とする。
【課題を解決するための手段】
【００１４】
前記従来の課題を解決するために、本発明のコンテンツ再生装置は、コンテンツの再生データを生成する再生データ生成部と、前記再生データ生成部によって生成された再生データを格納する再生データ記憶部と、前記再生データ記憶部に格納された再生データを実時間で読み出して再生する再生処理部とを備えたコンテンツ再生装置において、前記実時間より速い速度で前記再生データを生成することで間欠動作するよう前記再生データ生成部を制御する再生データ生成制御部と、前記コンテンツ再生装置の状態を遷移させる操作がなされる操作入力部と、前記操作入力部になされた操作によって前記再生処理部の再生状態が変更される可能性があるか否かを判断する装置状態判断部と、をさらに備え、前記再生データ生成制御部は、前記再生処理部によって前記再生データが再生されているときに、前記装置状態判断部による判断の結果に基づいて前記間欠動作の周期を変更することを特徴とする。
【発明の効果】
【００１５】
本発明のコンテンツ再生装置によれば、ユーザ要求への応答性を低下させることなく、コンテンツ再生における消費電力を低減することができる。
【図面の簡単な説明】
【００１６】
【図１】図１は、本発明の実施の形態１におけるコンテンツ再生装置の構成図である。
【図２】図２は、本発明の実施の形態１におけるコンテンツ再生装置の制御フロー図である。
【図３】図３は、本発明の実施の形態１におけるコンテンツ再生装置の再生データ記憶部のデータ格納量の推移を示すタイミング図であり、（ａ）は、間欠動作の周期の変更を仮に行わなかったときの再生データ記憶部のデータ格納量の推移を示すタイミング図であり、（ｂ）は、間欠動作の周期の変更を行ったときの再生データ記憶部のデータ格納量の推移を示すタイミング図である。
【図４】図４は、本発明の実施の形態２におけるコンテンツ再生装置の構成図である。
【図５】図５は、本発明の実施の形態２におけるコンテンツ再生装置の制御フロー図である。
【図６】図６は、本発明の実施の形態２におけるコンテンツ再生装置の制御フロー図である。
【図７】図７は、本発明の実施の形態２におけるコンテンツ再生装置の再生データ記憶部のデータ格納量の推移を示すタイミング図である。
【図８】図８は、本発明の実施の形態２におけるコンテンツ再生装置の再生データ記憶部のデータ格納量の推移を示すタイミング図である。
【図９】図９は、本発明の実施の形態２におけるコンテンツ再生装置のメニュー階層を示す概念図であり、（a）は、コンテンツ再生装置のメニュー階層を示す概念図であり、（b）は、次々状態"ｎ＋１"候補情報の抽出までの動作を説明するための概念図である。
【図１０】図１０は、従来のコンテンツ再生装置の構成図であり、(a)は、従来のコンテンツ再生装置の概略の構成図であり、(b)は、従来のコンテンツ再生装置のシステム制御部を詳細に示す構成図である。
【図１１】図１１は、従来のコンテンツ再生装置の構成図であり、(a)は、従来のコンテンツ再生装置のコンテンツ再生部を詳細に示す構成図であり、(b)は、従来のコンテンツ再生装置のコンテンツ記憶部、再生データ制御部および再生処理部を詳細に示す構成図である。
【図１２】図１２は、従来のコンテンツ再生装置の制御フロー図であり、(a)は、従来のコンテンツ再生装置の操作入力部およびシステム制御部を構成するシステム状態管理部、システム情報格納部、コンテンツ再生制御部の処理を示す制御フロー図であり、(b)は、従来のコンテンツ再生装置のコンテンツ再生部を構成する再生データ生成部、コンテンツ記憶部および再生データ記憶部の処理を示す制御フロー図である。
【図１３】図１３は、従来のコンテンツ再生装置の再生データ記憶部のデータ格納量の推移を示す第１のタイミング図である。
【図１４】図１４は、従来のコンテンツ再生装置の再生データ記憶部のデータ格納量の推移を示す第２のタイミング図であり、(a)は、ユーザ要求発生時に再生データ記憶部から再生データを削除しない場合の再生データ記憶部のデータ格納量の推移を示すタイミング図であり、(b)は、ユーザ要求発生時に再生データ記憶部から再生データを削除する場合の再生データ記憶部のデータ格納量の推移を示すタイミング図である。
【符号の説明】
【００１７】
１  コンテンツ再生装置
１０、１３３０  コンテンツ記憶部
１１、１３１０  再生データ生成部
１２、１３４０  再生データ記憶部
１３、１３２０  再生処理部
１４  再生データ生成制御部
１５、１１００  操作入力部
１６  装置状態判断部
１７  クロック／電源制御部
１２００  ユーザ操作予測機能付きシステム制御部
１２０５  システム状態制御部
１２１０  システム状態管理部
１２２０  システム情報格納部
１２３０  コンテンツ再生制御部(A)
１２４０  次々状態候補抽出部
１２５０  コンテンツ再生制御有無判定部
１３００  コンテンツ再生部
１３１１  サーボ制御回路
１３１２  デジタル信号処理回路
１３１３  ADPCMエンコーダ
１３２１  ADPCMデコーダ
１３２２  DA変換器
１３３１  モータ
１３３２  光ディスク
１３３３  光ピックアップ
２２００  システム制御部
２２３０  コンテンツ再生制御部（B）
【発明を実施するための最良の形態】
【００１８】
以下本発明の実施の形態について、図面を参照しながら説明する。【００１９】
（実施の形態１）
本発明の実施の形態１におけるコンテンツ再生装置を図１に示す。【００２０】
図１に示すように、コンテンツ再生装置１は、コンテンツデータを格納するコンテンツ記憶部１０と、コンテンツデータから再生データを生成する再生データ生成部１１と、再生データ生成部１１によって生成された再生データを格納する再生データ記憶部１２と、再生データ記憶部１２に格納された再生データを実時間で読み出して再生する再生処理部１３と、実時間より速い速度で再生データを生成することで間欠動作するよう再生データ生成部１１を制御する再生データ生成制御部１４と、コンテンツ再生装置１の状態を遷移させる操作がなされる操作入力部１５と、操作入力部１５になされた操作によって再生処理部１３の再生状態が変更される可能性があるか否かを判断する装置状態判断部１６と、間欠動作の停止期間に再生データ生成部１１等に供給するクロックおよび電源の少なくとも一方を制限するクロック／電源制御部１７とを備えている。【００２１】
なお、以下の説明において、操作入力部１５になされた操作によって再生処理部１３の再生状態が変更される可能性があるコンテンツ再生装置１の状態を単に、「再生変更可能状態」といい、操作入力部１５になされた操作によって再生処理部１３の再生状態が変更される可能性がないコンテンツ再生装置１の状態を単に、「非再生変更可能状態」という。【００２２】
コンテンツ記憶部１０は、コンテンツデータが格納されたメモリカード、磁気ディスクおよび光ディスク等によって構成されている。なお、コンテンツ記憶部１０は、図示しないネットワークモジュールを介してコンテンツ配信サーバ等から受信されたコンテンツデータをバッファリングするバッファによって構成してもよい。【００２３】
再生データ生成部１１は、ＤＳＰ（Digital Signal Processor）等の信号処理プロセッサによって構成され、コンテンツ記憶部１０から得られたコンテンツデータに信号処理を施し、処理した再生データを再生データ記憶部１２に格納するようになっている。【００２４】
また、再生データ生成部１１は、ＤＳＰ等の信号処理プロセッサに限らず、ハードウェア回路によって構成してもよく、信号処理プロセッサとハードウェア回路とによって構成してもよい。【００２５】
ここで、コンテンツデータは、例えば、音声を表すものであって、ＭＰ３（MPEG-1 Audio Layer 3）、ＡＡＣ（Advanced Audio Coding）およびＷＭＡ（Windows Media Audio）等といった形式の圧縮データならびにＰＣＭ（Pulse Code Modulation）等といった形式の非圧縮データからなる。【００２６】
また、コンテンツデータが上述したように音声を表す場合には、再生データ生成部１１によって実行される信号処理には、圧縮データの復号処理、および、イコライジング等の音質変換処理等が含まれる。【００２７】
なお、本実施の形態においては、コンテンツデータが上述したように音声を表すものとし、再生データ生成部１１は、コンテンツデータに信号処理を施して得られたリニアＰＣＭ形式の再生データを再生データ記憶部１２に格納するものとする。【００２８】
再生データ記憶部１２は、例えば、ＦＩＦＯ（First In First Out）方式でデータが読み書きされるメモリによって構成される。【００２９】
再生処理部１３は、再生データ記憶部１２から実時間で読み出した再生データをアナログ信号に変換し、図示しないスピーカ等の音声出力装置に音声を出力させるようになっている。【００３０】
再生データ生成制御部１４は、ＣＰＵ（Central Processing Unit）等のコンテンツ再生装置１の各部を制御するためのプロセッサによって構成され、例えば、再生データの再生の開始や停止等を再生処理部１３に指示するようになっている。【００３１】
特に、再生データ生成制御部１４は、実時間より速い速度で再生データを生成することで間欠動作するよう再生データ生成部１１を制御するようになっている。【００３２】
具体的には、再生データ生成制御部１４は、タイマを有し、再生データ生成部１１に生成させる再生データの量を指示し、指示した量の再生データの生成が完了した旨の通知を再生データ生成部１１から受けた後、再生処理部１３によって実時間で再生データ記憶部１２から読み出される再生データが不足しない程度の時間をタイマを用いて計時し、その後、再び再生データ生成部１１に生成させる再生データの量を指示するようになっている。これにより、再生データ生成部１１は、再生データを生成している稼動状態と、再生データの生成を停止する停止状態とを交互にとるよう間欠動作する。【００３３】
なお、再生データ生成制御部１４は、再生データを生成させる開始タイミングと停止タイミングとをタイマを用いて計り、各タイミングで再生データ生成部１１に指示することにより、再生データ生成部１１を間欠動作させるように構成してもよい。【００３４】
また、コンテンツ再生装置１に再生データ記憶部１２のデータ格納量を監視する図示しない再生データ監視部を設け、再生データ生成制御部１４は、再生データ記憶部１２のデータ格納量が所定の閾値を上回ったり、所定の他の閾値を下回ったりしたときに再生データ監視部から出力される割り込み信号に基づいて再生データ生成部１１を間欠動作させるように構成してもよい。【００３５】
操作入力部１５は、コンテンツ再生装置１の状態を遷移させる操作がなされる図示しないキーボード装置やポインティングデバイスによって構成される。なお、折りたたみ式またはスライド式の携帯電話等のように開状態と閉状態とをとる携帯端末にコンテンツ再生装置１を適用した場合には、携帯端末の状態が開状態であるか閉状態であるかを検知するセンサによって操作入力部１５を構成してもよい。【００３６】
装置状態判断部１６は、再生データ生成制御部１４を構成するプロセッサによって再生データ生成制御部１４と一体に構成されている。装置状態判断部１６は、例えば、ユーザインタフェイスを構成する図示しない表示装置に再生処理部１３の再生状態を変更するための少なくとも１つのコマンドが選択可能に表示されている場合には、コンテンツ再生装置１が再生変更可能状態にあると判断し、表示装置に再生処理部１３の再生状態を変更するための如何なるコマンドも選択可能に表示されていない場合には、コンテンツ再生装置１が非再生変更可能状態にあると判断するようになっている。【００３７】
ここで、再生処理部１３の再生状態を変更するためのコマンドとしては、再生処理部１３の再生状態のスキップ、早送り、巻き戻し、音質変更、音声出力チャネルの変更および他の再生データの再生要求等がある。【００３８】
なお、携帯端末の状態が開状態であるか閉状態であるかを検知するセンサによって操作入力部１５を構成する場合には、装置状態判断部１６は、携帯端末の状態がセンサによって開状態であると検知されているときに、コンテンツ再生装置１が再生変更可能状態にあると判断し、携帯端末の状態がセンサによって閉状態であると検知されているときに、コンテンツ再生装置１が非再生変更可能状態にあると判断するようにしてもよい。【００３９】
ここで、再生データ生成制御部１４は、再生処理部１３によって再生データが再生されているときに、装置状態判断部１６による判断の結果に基づいて再生データ生成部１１の間欠動作の周期を変更するようになっている。【００４０】
具体的には、再生データ生成制御部１４は、コンテンツ再生装置１が再生変更可能状態にあるときの再生データ生成部１１の間欠動作の周期が、コンテンツ再生装置１が非再生変更可能状態にあるときの再生データ生成部１１の間欠動作の周期より短くなるよう再生データ生成部１１を制御するようになっている。【００４１】
より具体的には、再生データ生成制御部１４は、コンテンツ再生装置１が再生変更可能状態にあるときに再生データ生成部１１に生成させる再生データの量を、コンテンツ再生装置１が非再生変更可能状態にあるときに再生データ生成部１１に生成させる再生データの量より少なくするようになっている。【００４２】
例えば、再生データ生成部１１が生成する再生データのサンプリング周波数が４８ｋＨｚであり、コンテンツ再生装置１が再生変更可能状態にあるときに再生データ生成制御部１４が再生データ生成部１１に生成させる再生データの量を４８フレーム分とし、コンテンツ再生装置１が非再生変更可能状態にあるときに再生データ生成制御部１４が再生データ生成部１１に生成させる再生データの量を２４フレーム分とする。【００４３】
この場合には、コンテンツ再生装置１が再生変更可能状態にあるときの再生データ生成部１１の間欠動作の周期は１秒となり、コンテンツ再生装置１が非再生変更可能状態にあるときの再生データ生成部１１の間欠動作の周期は０．５秒となる。【００４４】
なお、再生データ生成制御部１４は、再生データ生成部１１に指示する各タイミングをタイマを用いて計るようにした場合には、コンテンツ再生装置１が再生変更可能状態にあるときに再生データ生成部１１に再生データを生成させる時間を、コンテンツ再生装置１が非再生変更可能状態にあるときに再生データ生成部１１に再生データを生成させる時間より短くするように構成される。【００４５】
また、再生データ生成制御部１４は、再生データ生成部１１の間欠動作の周期が頻繁に変わるのを防止するために、操作入力部１５が操作されてコンテンツ再生装置１が再生変更可能状態から非再生変更可能状態になった場合には、コンテンツ再生装置１が非再生変更可能状態のまま一定時間が経過したときに、再生データ生成部１１の間欠動作の周期を長くするよう再生データ生成部１１を制御することが好ましい。【００４６】
クロック／電源制御部１７は、再生データ生成部１１が停止状態にあるときに再生データ生成部１１に供給するクロックおよび電源の少なくとも一方を制限することによって、コンテンツ再生装置１の消費電力を抑制するようになっている。また、クロック／電源制御部１７は、再生データ生成部１１に生成させる再生データの量を指示するのに先立って再生データ生成制御部１４から出力される制御信号を受けて当該制限を解除するようになっている。【００４７】
再生データ生成部１１に供給するクロックを制限する場合には、クロック／電源制御部１７は、当該クロックの遮断、低周波数化および低電圧化の何れかを行うよう、再生データ生成部１１に供給するクロックを生成する図示しないクロック発生回路を制御するように構成される。【００４８】
また、再生データ生成部１１に供給する電源を制限する場合には、クロック／電源制御部１７は、当該電源の遮断および低電圧化の何れかを行うよう、再生データ生成部１１に電源を供給する図示しない電源回路を制御するように構成される。【００４９】
なお、クロック／電源制御部１７は、再生データ生成部１１が停止状態にあるときに、再生データ生成制御部１４のタイマを除く部分に供給するクロックおよび電源の少なくとも一方を制限するようにしてもよい。【００５０】
また、前述したように、コンテンツ再生装置１に再生データ監視部を設けた場合には、クロック／電源制御部１７は、再生データ生成部１１が停止状態にあるときに、再生データ生成制御部１４の再生データ監視部から出力される割り込み信号を受ける部分を除く他の部分に供給するクロックおよび電源の少なくとも一方を制限するようにしてもよい。【００５１】
以上のように構成されたコンテンツ再生装置１について図２を用いてその動作を説明する。図２は、再生データ生成部１１が間欠動作する一方で、再生処理部１３によって再生データが再生されているときに、操作入力部１５が操作された場合のコンテンツ再生装置１の動作を示すフロー図である。【００５２】
まず、操作入力部１５が操作されると、コンテンツ再生装置１の状態が遷移する（Ｓ１）。この遷移したコンテンツ再生装置１の状態が非再生変更可能状態から再生変更可能状態になったか否かが装置状態判断部１６によって判断される（Ｓ２）。【００５３】
コンテンツ再生装置１の状態が非再生変更可能状態から再生変更可能状態になったと判断された場合には、再生データ生成部１１の間欠動作の周期が短くなるよう再生データ生成部１１が再生データ生成制御部１４によって制御される（Ｓ３）。【００５４】
一方、コンテンツ再生装置１の状態が再生変更可能状態から非再生変更可能状態にならなかったと判断された場合には、コンテンツ再生装置１の状態が再生変更可能状態から非再生変更可能状態になったか否かが装置状態判断部１６によって判断される（Ｓ４）。【００５５】
コンテンツ再生装置１の状態が再生変更可能状態から非再生変更可能状態になったと判断された場合には、再生データ生成部１１の間欠動作の周期が長くなるよう再生データ生成部１１が再生データ生成制御部１４によって制御される（Ｓ５）。【００５６】
図３（ａ）は、上述した間欠動作の周期の変更を仮に行わなかったときに再生データ記憶部１２のデータ格納量の推移を示し、図３（ｂ）は、間欠動作の周期の変更を行ったときに再生データ記憶部１２のデータ格納量の推移を示している。【００５７】
なお、図３（ａ）および（ｂ）は、時刻ｔ１でコンテンツ再生装置１の状態が非再生変更可能状態から再生変更可能状態になり、時刻ｔ２で操作入力部１５が操作され、再生処理部１３の再生状態が変更された場合の例を示している。【００５８】
図３（ａ）に示すように、間欠動作の周期の変更を行わなかったときには、再生処理部１３の再生状態の変更が反映された再生データが時刻ｔ３で出力され、ユーザからの要求に対する応答時間がΔｔとなる。【００５９】
これに対し、図３（ｂ）に示すように、間欠動作の周期の変更を行ったときには、再生処理部１３の再生状態の変更が反映された再生データが時刻ｔ３より早い時刻ｔ３'で出力され、ユーザからの要求に対する応答時間がΔｔより短いΔｔ'となることが分かる。【００６０】
このように本発明の実施の形態１におけるコンテンツ再生装置１は、コンテンツ再生装置１の状態が再生変更可能状態にあるときに、再生データ生成部１１の間欠動作の周期を短くして、ユーザ要求があったときから、再生処理部１３の再生状態の変更が反映された再生データを出力するまでにかかる時間を平均的に短縮するため、ユーザ要求への応答性を低下させることなく、コンテンツ再生における消費電力を低減することができる。【００６１】
（実施の形態２）
図４は、本発明の実施の形態２におけるコンテンツ再生装置の構成図である。図４において、図１０，１１と同じ構成要素については同じ符号を用い、説明を省略する。なお、本実施の形態において、操作入力部１１００は、本発明における操作部を構成し、システム制御部１２０５は、本発明における装置状態判断部を構成し、コンテンツ再生制御部１２３０は、本発明における再生データ生成制御部を構成する。【００６２】
また、図５，図６は本発明の実施の形態２におけるコンテンツ再生処理の流れ図であり、以下、流れ図にしたがって図４の動作を説明する。【００６３】
図５の流れ図は、操作入力部１１００およびユーザ操作予測機能付きシステム制御部１２００を構成するシステム状態管理部１２１０、システム情報格納部１２２０、コンテンツ再生制御部(A)１２３０、次々状態候補抽出部１２４０、コンテンツ再生制御有無判定部１２５０の処理を示している。S1001からS1003の制御は図１２（a）と同様のため説明を省略する。次々状態候補抽出部１２４０は、システム状態管理部１２１０から次状態"ｎ"を読み出し、次状態"ｎ"がコンテンツ再生状態でない場合（判定結果＝No）にはS1001に制御を戻す（S1004）。次状態"ｎ"がコンテンツ再生状態の場合（判定結果＝Yes）には、次々状態候補抽出部１２４０は、システム情報格納部１２２０からシステム状態遷移情報を読み出し、次状態情報"ｎ"とシステム状態遷移情報から次々状態（"ｎ＋１"と定義する）候補を抽出する（S1005）。コンテンツ再生制御有無判定部１２５０は、次々状態候補"ｎ＋１"にコンテンツ再生と関連する制御が存在するか否かを判定し（S1006）、コンテンツ再生と関連する制御が存在する場合にはコンテンツ再生部１３００の間欠動作間隔を短くするようコンテンツ再生制御部(A)１２３０に通知する（S1007）。また、コンテンツ再生制御有無判定部１２５０は、次々状態候補"ｎ＋１"にコンテンツ再生と関連する制御が存在しない場合にはコンテンツ再生部１３００の間欠動作間隔をS1007で通知したときの間欠動作間隔と比較して長くするようコンテンツ再生制御部(A)１２３０に通知する（S1008）。【００６４】
図６の流れ図は、コンテンツ再生部１３００を構成する再生データ生成部１３１０、コンテンツ記憶部１３３０、再生データ記憶部１３４０の制御フロー、すなわちコンテンツ再生制御部(A)１２３０処理を示している。S1102からS1105の制御は図１２（b）と同様のため説明を省略する。コンテンツ再生制御部(A)１２３０は、コンテンツ再生制御有無判定部１２５０により指定された間欠動作間隔に従い、S1104の再生データ記憶部１３４０の空き容量閾値αをα１またはα２として再設定する（S1101）。なお、図１２(a)、(b)には記載していないが、再生処理部１３２０は常に再生データ記憶部１３４０に格納された再生データを読みだし再生を続けている。【００６５】
図１４（a）,(b)で指摘した課題について、本発明によって改善される様子を図７，図８を用いて説明する。なお、図７および図８において、縦軸に付したα１、α２およびβは、再生データ記憶部１３４０の空き容量がそれぞれ閾値α１、α２およびβになったときの再生データ記憶部１３４０のデータ格納量を示している。【００６６】
図７は、時刻T１´にユーザ要求が発生した場合の再生データ記憶部１３４０のデータ格納量の推移を示している。この場合、本実施形態におけるコンテンツ再生装置は、時刻T1´までに再生データ記憶部１３４０に格納された再生データを消費する時刻T2´まではユーザ要求に未対応のコンテンツを再生するため、ユーザ要求に応答することができない。しかしながら、S1101にて再生データ記憶部１３４０の空き容量検出閾値αをα１と設定した場合（α１＞α２の関係）には、再生データ記憶部１３４０の空き容量検出閾値αをα２と設定した場合と比較して、再生データ記憶部１３４０のデータ格納量の最大値が低減するため、本実施形態におけるコンテンツ再生装置は、従来のコンテンツ再生装置と比較して平均的なユーザ応答性を向上することが可能となった。【００６７】
また、図８は、図７と異なり時刻T1でユーザ要求に未対応のコンテンツを一旦消去し、改めてユーザ要求に対応したコンテンツを再生データ記憶部１３４０に格納した場合のデータ格納量の推移を示している。この場合時刻T1´から時刻T3´までに再生する予定であった再生データを消去するため、この間のデータ（図８中のS´）を生成するために必要であった電力が無駄になる。しかしながら、S1101にて再生データ記憶部１３４０の空き容量検出閾値αをα１と設定した場合（α１＞α２の関係）には、再生データ記憶部１３４０の空き容量検出閾値αをα２と設定した場合と比較して、消去対象の再生データの最大値が低減するため、本実施形態におけるコンテンツ再生装置は、従来例と比較して平均的な消費電力の浪費量を低減することができる。【００６８】
図９（a）にコンテンツ再生装置のメニュー階層図を示し、図９（b）に次々状態"ｎ＋１"候補情報の抽出までの動作を示す。【００６９】
図９（a）のメニュー階層において、「３−１−１）プレイ」、「３−１−２）早送り」、「３−１−３）巻き戻し」、「３−１−４）イコライザ」は、コンテンツ再生制御部１２３０からコンテンツ再生部１３００を制御する処理を含んでおり、「３−１−１）プレイ」、「３−１−２）早送り」、「３−１−３）巻き戻し」、「３−１−４）イコライザ」以外は、コンテンツ再生制御部１２３０からコンテンツ再生部１３００を制御する処理を含んでいないものとする。【００７０】
図９(b)において、処理Aは、現状態"n−１"と操作入力部１１００で入力されるユーザ操作情報とから次状態"ｎ"を決定する。処理Bは、次状態"ｎ"とシステム情報格納部１２２０から読み出したシステム状態遷移情報とから次々状態"ｎ＋１"候補情報を抽出する。次々状態"ｎ＋１"候補情報としては、「３−１−１）プレイ」、「３−１−２）早送り」、「３−１−３）巻き戻し」、「３−１−４）イコライザ設定」が抽出され、「３−１−５）再生停止」は除外されている。コンテンツ再生制御有無判定部１２５０は、次状態"ｎ"に「３−１）再生」を選択した時点で、コンテンツ再生制御部１２３０からコンテンツ再生部１３００を制御する処理を含む次々状態"ｎ＋１"候補情報が含まれていることを判定し、「３−１−１）プレイ」、「３−１−２）早送り」、「３−１−３）巻き戻し」、「３−１−４）イコライザ設定」が選択される可能性があるとみなし、コンテンツ再生部１３００の間欠動作間隔を短く設定する。一方、コンテンツ再生制御有無判定部１２５０は、次状態"ｎ"を選択した時点で、コンテンツ再生制御部１２３０からコンテンツ再生部１３００を制御する処理を含む次々状態"ｎ＋１"候補情報が含まれていないことを判定した場合には、コンテンツ再生部１３００の間欠動作間隔を長く設定する。【００７１】
なお、本実施の形態において、再生データ記憶部１３４０の閾値αの設定値を変更することで間欠動作間隔を制御しているが、コンテンツ再生制御部(A)１２３０の制御にタイマを使用し間欠動作間隔を制御しても良い。【００７２】
また、操作入力部１１００から入力するユーザ操作情報として、携帯端末の開閉検出情報を利用することも可能である。
【産業上の利用可能性】
【００７３】
本発明にかかるコンテンツ再生装置は、バッテリ駆動する機器向けのオーディオプレーヤやAV処理が実施可能な携帯電話等の用途に特に有用である。
【図１】
2007125737.tif 000003
【図２】
2007125737.tif 000004
【図３】
2007125737.tif 000005
【図４】
2007125737.tif 000006
【図５】
2007125737.tif 000007
【図６】
2007125737.tif 000008
【図７】
2007125737.tif 000009
【図８】
2007125737.tif 000010
【図９】
2007125737.tif 000011
【図１０】
2007125737.tif 000012
【図１１】
2007125737.tif 000013
【図１２】
2007125737.tif 000014
【図１３】
2007125737.tif 000015
【図１４】
2007125737.tif 000016
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
コンテンツの再生データを生成する再生データ生成部と、
前記再生データ生成部によって生成された再生データを格納する再生データ記憶部と、
前記再生データ記憶部に格納された再生データを実時間で読み出して再生する再生処理部とを備えたコンテンツ再生装置において、
前記実時間より速い速度で前記再生データを生成することで間欠動作するよう前記再生データ生成部を制御する再生データ生成制御部と、
前記コンテンツ再生装置の状態を遷移させる操作がなされる操作入力部と、
前記操作入力部になされた操作によって前記再生処理部の再生状態が変更される可能性があるか否かを判断する装置状態判断部と、をさらに備え、
前記再生データ生成制御部は、前記再生処理部によって前記再生データが再生されているときに、前記装置状態判断部による判断の結果に基づいて前記間欠動作の周期を変更することを特徴とするコンテンツ再生装置。
【請求項２】
前記再生データ生成制御部は、前記再生処理部の再生状態が変更される可能性がないと前記装置状態判断部によって判断されたときより、前記再生処理部の再生状態が変更される可能性があると判断されたときの方が短くなるよう前記間欠動作の周期を変更することを特徴とする請求項１に記載のコンテンツ再生装置。
【請求項３】
前記再生データ生成制御部は、前記再生処理部の再生状態が変更される可能性があると前記装置状態判断部によって判断されたときより、前記再生処理部の再生状態が変更される可能性がないと判断されたときの方が長くなるよう前記間欠動作の周期を変更することを特徴とする請求項１に記載のコンテンツ再生装置。
【請求項４】
前記再生データ生成制御部は、前記操作入力部が操作されて前記再生処理部の再生状態が変更される可能性がないと前記装置状態判断部によって判断された場合には、前記再生処理部の再生状態が変更される可能性があると前記装置状態判断部によって判断されることなく一定時間が経過したときに、前記間欠動作の周期が長くなるよう変更することを特徴とする請求項３に記載のコンテンツ再生装置。
【請求項５】
前記再生データ生成制御部は、前記間欠動作の稼動期間に前記再生データ生成部に生成させる再生データの量を調整することによって前記間欠動作の周期を変更することを特徴とする請求項１に記載のコンテンツ再生装置。
【請求項６】
前記再生データ生成制御部は、タイマを有し、前記間欠動作の稼動期間を前記タイマを用いて調整することによって前記間欠動作の周期を変更することを特徴とする請求項１に記載のコンテンツ再生装置。
【請求項７】
前記再生データ生成制御部は、前記再生データ記憶部のデータ格納量の閾値を調整することによって前記間欠動作の周期を変更することを特徴とする請求項１に記載のコンテンツ再生装置。
【請求項８】
前記間欠動作の停止期間に前記再生処理部に供給するクロックおよび電源の少なくとも一方を制限するクロック／電源制御部を備えたことを特徴とする請求項１に記載のコンテンツ再生装置。
【手続補正２】
【補正対象書類名】明細書
【補正対象項目名】全文
【補正方法】変更
【補正の内容】
【書類名】  明細書
【発明の名称】  コンテンツ再生装置
【技術分野】
【０００１】
本発明は、オーディオやビデオなどのAVコンテンツ再生装置に関するものであり、特にコンテンツ再生における消費電力の低減と応答性向上を目的とした携帯機器向けのコンテンツ再生装置に関するものである。
【背景技術】
【０００２】
従来のコンテンツ再生装置としては、特に再生データを記憶部に格納することによって間欠再生制御を実現するものがあった（例えば、特許文献１参照）。
【０００３】
図１０(a),(b),図１１(a)は特許文献１に記載された従来のコンテンツ再生装置を示すものであり、図１１（b）は特許文献１の図１を示している。
【０００４】
図１２(a),（b）は特許文献１に記載された従来のコンテンツ再生処理の流れ図であり、以下、流れ図にしたがって図１０(a),(b),１１(a)に示した従来のコンテンツ再生装置の動作を説明する。
【０００５】
図１２（a）の流れ図は、操作入力部１１００およびシステム制御部２２００を構成するシステム状態管理部１２１０、システム情報格納部１２２０、コンテンツ再生制御部（B）２２３０の処理を示している。操作入力部１１００がユーザ要求を入力する（S1001）。システム状態管理部１２１０は、システム情報格納部１２２０からシステム状態遷移情報と現状態情報とを読み出し、ユーザ要求に従い現状態（"ｎ−１"と定義する）から次状態（"ｎ"と定義する）に遷移させる（S1002）。コンテンツ再生制御部（B）２２３０は、次状態"ｎ"で必要な処理（例えば、早送り再生）を実施するためにコンテンツ再生部１３００を制御する（S1003）。
【０００６】
図１２(b)の流れ図は、コンテンツ再生部１３００を構成する再生データ生成部１３１０、コンテンツ記憶部１３３０、再生データ記憶部１３４０の制御フロー、すなわちコンテンツ再生制御部（B）２２３０の処理を示している。コンテンツ再生制御部（B）２２３０より指示（例えば、再生指示）を受けた再生データ生成部１３１０は、コンテンツ記憶部１３３０からコンテンツを読み出し再生データを生成する（S1102）。コンテンツ再生制御部（B）２２３０は、再生データ生成部１３１０が生成した再生データを再生データ記憶部１３４０に格納する（S1103）。コンテンツ再生制御部（B）２２３０は、再生データ記憶部１３４０の空き領域を閾値αによって判断し、閾値αより大きい空き領域が存在する場合（判定結果＝NO）にはS1102に処理を戻す（S1104）。コンテンツ再生制御部（B）２２３０は、再生データ記憶部１３４０の空き領域が閾値α以下である場合には（判定結果＝YES）、再生データ記憶部１３４０の空き領域が閾値β以上になるまでウエイトする（S1105）。なお、図１２(a)、(b)には記載していないが、再生処理部１３２０は常に再生データ記憶部１３４０に格納された再生データを読みだし再生を続けている。
【０００７】
図１３は、図１２記載の流れ図により制御した特許文献１に記載された従来のコンテンツ再生装置における再生データ記憶部１３４０のデータ格納量の推移を示している。なお、図１３において、縦軸に付したαおよびβは、再生データ記憶部１３４０の空き容量がそれぞれ閾値αおよびβになったときの再生データ記憶部１３４０のデータ格納量を示している。
【０００８】
図１３は、再生データ記憶部１３４０に蓄積された再生データの格納量はαからβ間を往来することを示す。αを超えて再生データが格納されるのは図１２のS1104の判定タイミングによるものであり、βを超えて再生データが消費されるのは図１２のS1105の判定タイミングによるものである。
【０００９】
このように特許文献１に記載された従来のコンテンツ再生装置は、再生データ生成部１３１０を再生処理部１３２０より高速に動作させ、再生処理部１３２０が再生する再生データをあらかじめ再生データ記憶部１３４０に格納しておくことによって、再生処理部１３２０が動作中でも再生データ生成部１３１０を停止可能としており、また、特許文献２に記載された従来のコンテンツ再生装置は、停止中の再生データ生成部１３１０の電力を遮断することによって、再生データ生成部１３１０が停止時に消費する電力を低減している。
【特許文献１】特開平３−４０２６９号公報
【特許文献２】特開平７−１６１０４３号公報
【発明の開示】
【発明が解決しようとする課題】
【００１０】
しかしながら、従来のコンテンツ再生装置には、あらかじめ再生データ記憶部１３４０に再生データを格納することによる課題が発生する。図１４（a）,（b）を用いて従来のコンテンツ再生装置に発生する課題を説明する。なお、図１４（a）,（b）において、縦軸に付したαおよびβは、再生データ記憶部１３４０の空き容量がそれぞれ閾値αおよびβになったときの再生データ記憶部１３４０のデータ格納量を示している。
【００１１】
図１４（a）は、時刻T１にユーザ要求が発生した場合の再生データ記憶部１３４０のデータ格納量の推移を示しており、従来のコンテンツ再生装置は、時刻T1までに再生データ記憶部１３４０に格納された再生データを消費する時刻T2まではユーザ要求に未対応のコンテンツを再生するため、ユーザ要求への応答性が低下するといった課題を有する。
【００１２】
また、図１４（b）は、図１４(a)と異なり時刻T1でユーザ要求に未対応のコンテンツを一旦消去し、改めてユーザ要求に対応したコンテンツを再生データ記憶部１３４０に格納した場合のデータ格納量の推移を示している。この場合、従来のコンテンツ再生装置は、時刻T1から時刻T3までに再生する予定であった再生データを生成するために必要であった電力を無駄に消費するといった課題を有する。
【００１３】
本発明は、前記従来の課題を解決するもので、コンテンツ再生時の消費電力の低減とユーザ要求への応答性向上を可能としたコンテンツ再生装置を提供することを目的とする。
【課題を解決するための手段】
【００１４】
前記従来の課題を解決するために、本発明のコンテンツ再生装置は、コンテンツの再生データを生成する再生データ生成部と、前記再生データ生成部によって生成された再生データを格納する再生データ記憶部と、前記再生データ記憶部に格納された再生データを実時間で読み出して再生する再生処理部とを備えたコンテンツ再生装置において、前記実時間より速い速度で前記再生データを生成することで間欠動作するよう前記再生データ生成部を制御する再生データ生成制御部と、前記コンテンツ再生装置の状態を遷移させる操作がなされる操作入力部と、前記操作入力部になされた操作によって前記再生処理部の再生状態が変更される可能性があるか否かを判断する装置状態判断部と、をさらに備え、前記再生データ生成制御部は、前記再生処理部によって前記再生データが再生されているときに、前記装置状態判断部による判断の結果に基づいて前記間欠動作の周期を変更することを特徴とする。
【発明の効果】
【００１５】
本発明のコンテンツ再生装置によれば、ユーザ要求への応答性を低下させることなく、コンテンツ再生における消費電力を低減することができる。
【発明を実施するための最良の形態】
【００１６】
以下本発明の実施の形態について、図面を参照しながら説明する。
【００１７】
（実施の形態１）
本発明の実施の形態１におけるコンテンツ再生装置を図１に示す。
【００１８】
図１に示すように、コンテンツ再生装置１は、コンテンツデータを格納するコンテンツ記憶部１０と、コンテンツデータから再生データを生成する再生データ生成部１１と、再生データ生成部１１によって生成された再生データを格納する再生データ記憶部１２と、再生データ記憶部１２に格納された再生データを実時間で読み出して再生する再生処理部１３と、実時間より速い速度で再生データを生成することで間欠動作するよう再生データ生成部１１を制御する再生データ生成制御部１４と、コンテンツ再生装置１の状態を遷移させる操作がなされる操作入力部１５と、操作入力部１５になされた操作によって再生処理部１３の再生状態が変更される可能性があるか否かを判断する装置状態判断部１６と、間欠動作の停止期間に再生データ生成部１１等に供給するクロックおよび電源の少なくとも一方を制限するクロック／電源制御部１７とを備えている。
【００１９】
なお、以下の説明において、操作入力部１５になされた操作によって再生処理部１３の再生状態が変更される可能性があるコンテンツ再生装置１の状態を単に、「再生変更可能状態」といい、操作入力部１５になされた操作によって再生処理部１３の再生状態が変更される可能性がないコンテンツ再生装置１の状態を単に、「非再生変更可能状態」という。
【００２０】
コンテンツ記憶部１０は、コンテンツデータが格納されたメモリカード、磁気ディスクおよび光ディスク等によって構成されている。なお、コンテンツ記憶部１０は、図示しないネットワークモジュールを介してコンテンツ配信サーバ等から受信されたコンテンツデータをバッファリングするバッファによって構成してもよい。
【００２１】
再生データ生成部１１は、ＤＳＰ（Digital Signal Processor）等の信号処理プロセッサによって構成され、コンテンツ記憶部１０から得られたコンテンツデータに信号処理を施し、処理した再生データを再生データ記憶部１２に格納するようになっている。
【００２２】
また、再生データ生成部１１は、ＤＳＰ等の信号処理プロセッサに限らず、ハードウェア回路によって構成してもよく、信号処理プロセッサとハードウェア回路とによって構成してもよい。
【００２３】
ここで、コンテンツデータは、例えば、音声を表すものであって、ＭＰ３（MPEG-1 Audio Layer 3）、ＡＡＣ（Advanced Audio Coding）およびＷＭＡ（Windows Media Audio）等といった形式の圧縮データならびにＰＣＭ（Pulse Code Modulation）等といった形式の非圧縮データからなる。
【００２４】
また、コンテンツデータが上述したように音声を表す場合には、再生データ生成部１１によって実行される信号処理には、圧縮データの復号処理、および、イコライジング等の音質変換処理等が含まれる。
【００２５】
なお、本実施の形態においては、コンテンツデータが上述したように音声を表すものとし、再生データ生成部１１は、コンテンツデータに信号処理を施して得られたリニアＰＣＭ形式の再生データを再生データ記憶部１２に格納するものとする。
【００２６】
再生データ記憶部１２は、例えば、ＦＩＦＯ（First In First Out）方式でデータが読み書きされるメモリによって構成される。
【００２７】
再生処理部１３は、再生データ記憶部１２から実時間で読み出した再生データをアナログ信号に変換し、図示しないスピーカ等の音声出力装置に音声を出力させるようになっている。
【００２８】
再生データ生成制御部１４は、ＣＰＵ（Central Processing Unit）等のコンテンツ再生装置１の各部を制御するためのプロセッサによって構成され、例えば、再生データの再生の開始や停止等を再生処理部１３に指示するようになっている。
【００３９】
特に、再生データ生成制御部１４は、実時間より速い速度で再生データを生成することで間欠動作するよう再生データ生成部１１を制御するようになっている。
【００３０】
具体的には、再生データ生成制御部１４は、タイマを有し、再生データ生成部１１に生成させる再生データの量を指示し、指示した量の再生データの生成が完了した旨の通知を再生データ生成部１１から受けた後、再生処理部１３によって実時間で再生データ記憶部１２から読み出される再生データが不足しない程度の時間をタイマを用いて計時し、その後、再び再生データ生成部１１に生成させる再生データの量を指示するようになっている。これにより、再生データ生成部１１は、再生データを生成している稼動状態と、再生データの生成を停止する停止状態とを交互にとるよう間欠動作する。
【００３１】
なお、再生データ生成制御部１４は、再生データを生成させる開始タイミングと停止タイミングとをタイマを用いて計り、各タイミングで再生データ生成部１１に指示することにより、再生データ生成部１１を間欠動作させるように構成してもよい。
【００３２】
また、コンテンツ再生装置１に再生データ記憶部１２のデータ格納量を監視する図示しない再生データ監視部を設け、再生データ生成制御部１４は、再生データ記憶部１２のデータ格納量が所定の閾値を上回ったり、所定の他の閾値を下回ったりしたときに再生データ監視部から出力される割り込み信号に基づいて再生データ生成部１１を間欠動作させるように構成してもよい。
【００３３】
操作入力部１５は、コンテンツ再生装置１の状態を遷移させる操作がなされる図示しないキーボード装置やポインティングデバイスによって構成される。なお、折りたたみ式またはスライド式の携帯電話等のように開状態と閉状態とをとる携帯端末にコンテンツ再生装置１を適用した場合には、携帯端末の状態が開状態であるか閉状態であるかを検知するセンサによって操作入力部１５を構成してもよい。
【００３４】
装置状態判断部１６は、再生データ生成制御部１４を構成するプロセッサによって再生データ生成制御部１４と一体に構成されている。装置状態判断部１６は、例えば、ユーザインタフェイスを構成する図示しない表示装置に再生処理部１３の再生状態を変更するための少なくとも１つのコマンドが選択可能に表示されている場合には、コンテンツ再生装置１が再生変更可能状態にあると判断し、表示装置に再生処理部１３の再生状態を変更するための如何なるコマンドも選択可能に表示されていない場合には、コンテンツ再生装置１が非再生変更可能状態にあると判断するようになっている。
【００３５】
ここで、再生処理部１３の再生状態を変更するためのコマンドとしては、再生処理部１３の再生状態のスキップ、早送り、巻き戻し、音質変更、音声出力チャネルの変更および他の再生データの再生要求等がある。
【００３６】
なお、携帯端末の状態が開状態であるか閉状態であるかを検知するセンサによって操作入力部１５を構成する場合には、装置状態判断部１６は、携帯端末の状態がセンサによって開状態であると検知されているときに、コンテンツ再生装置１が再生変更可能状態にあると判断し、携帯端末の状態がセンサによって閉状態であると検知されているときに、コンテンツ再生装置１が非再生変更可能状態にあると判断するようにしてもよい。
【００３７】
ここで、再生データ生成制御部１４は、再生処理部１３によって再生データが再生されているときに、装置状態判断部１６による判断の結果に基づいて再生データ生成部１１の間欠動作の周期を変更するようになっている。
【００３８】
具体的には、再生データ生成制御部１４は、コンテンツ再生装置１が再生変更可能状態にあるときの再生データ生成部１１の間欠動作の周期が、コンテンツ再生装置１が非再生変更可能状態にあるときの再生データ生成部１１の間欠動作の周期より短くなるよう再生データ生成部１１を制御するようになっている。
【００３９】
より具体的には、再生データ生成制御部１４は、コンテンツ再生装置１が再生変更可能状態にあるときに再生データ生成部１１に生成させる再生データの量を、コンテンツ再生装置１が非再生変更可能状態にあるときに再生データ生成部１１に生成させる再生データの量より少なくするようになっている。
【００４０】
例えば、再生データ生成部１１が生成する再生データのサンプリング周波数が４８ｋＨｚであり、コンテンツ再生装置１が再生変更可能状態にあるときに再生データ生成制御部１４が再生データ生成部１１に生成させる再生データの量を４８フレーム分とし、コンテンツ再生装置１が非再生変更可能状態にあるときに再生データ生成制御部１４が再生データ生成部１１に生成させる再生データの量を２４フレーム分とする。
【００４１】
この場合には、コンテンツ再生装置１が再生変更可能状態にあるときの再生データ生成部１１の間欠動作の周期は１秒となり、コンテンツ再生装置１が非再生変更可能状態にあるときの再生データ生成部１１の間欠動作の周期は０．５秒となる。
【００４２】
なお、再生データ生成制御部１４は、再生データ生成部１１に指示する各タイミングをタイマを用いて計るようにした場合には、コンテンツ再生装置１が再生変更可能状態にあるときに再生データ生成部１１に再生データを生成させる時間を、コンテンツ再生装置１が非再生変更可能状態にあるときに再生データ生成部１１に再生データを生成させる時間より短くするように構成される。
【００４３】
また、再生データ生成制御部１４は、再生データ生成部１１の間欠動作の周期が頻繁に変わるのを防止するために、操作入力部１５が操作されてコンテンツ再生装置１が再生変更可能状態から非再生変更可能状態になった場合には、コンテンツ再生装置１が非再生変更可能状態のまま一定時間が経過したときに、再生データ生成部１１の間欠動作の周期を長くするよう再生データ生成部１１を制御することが好ましい。
【００４４】
クロック／電源制御部１７は、再生データ生成部１１が停止状態にあるときに再生データ生成部１１に供給するクロックおよび電源の少なくとも一方を制限することによって、コンテンツ再生装置１の消費電力を抑制するようになっている。また、クロック／電源制御部１７は、再生データ生成部１１に生成させる再生データの量を指示するのに先立って再生データ生成制御部１４から出力される制御信号を受けて当該制限を解除するようになっている。
【００４５】
再生データ生成部１１に供給するクロックを制限する場合には、クロック／電源制御部１７は、当該クロックの遮断、低周波数化および低電圧化の何れかを行うよう、再生データ生成部１１に供給するクロックを生成する図示しないクロック発生回路を制御するように構成される。
【００４６】
また、再生データ生成部１１に供給する電源を制限する場合には、クロック／電源制御部１７は、当該電源の遮断および低電圧化の何れかを行うよう、再生データ生成部１１に電源を供給する図示しない電源回路を制御するように構成される。
【００４７】
なお、クロック／電源制御部１７は、再生データ生成部１１が停止状態にあるときに、再生データ生成制御部１４のタイマを除く部分に供給するクロックおよび電源の少なくとも一方を制限するようにしてもよい。
【００４８】
また、前述したように、コンテンツ再生装置１に再生データ監視部を設けた場合には、クロック／電源制御部１７は、再生データ生成部１１が停止状態にあるときに、再生データ生成制御部１４の再生データ監視部から出力される割り込み信号を受ける部分を除く他の部分に供給するクロックおよび電源の少なくとも一方を制限するようにしてもよい。
【００４９】
以上のように構成されたコンテンツ再生装置１について図２を用いてその動作を説明する。図２は、再生データ生成部１１が間欠動作する一方で、再生処理部１３によって再生データが再生されているときに、操作入力部１５が操作された場合のコンテンツ再生装置１の動作を示すフロー図である。
【００５０】
まず、操作入力部１５が操作されると、コンテンツ再生装置１の状態が遷移する（Ｓ１）。この遷移したコンテンツ再生装置１の状態が非再生変更可能状態から再生変更可能状態になったか否かが装置状態判断部１６によって判断される（Ｓ２）。
【００５１】
コンテンツ再生装置１の状態が非再生変更可能状態から再生変更可能状態になったと判断された場合には、再生データ生成部１１の間欠動作の周期が短くなるよう再生データ生成部１１が再生データ生成制御部１４によって制御される（Ｓ３）。
【００５２】
一方、コンテンツ再生装置１の状態が再生変更可能状態から非再生変更可能状態にならなかったと判断された場合には、コンテンツ再生装置１の状態が再生変更可能状態から非再生変更可能状態になったか否かが装置状態判断部１６によって判断される（Ｓ４）。
【００５３】
コンテンツ再生装置１の状態が再生変更可能状態から非再生変更可能状態になったと判断された場合には、再生データ生成部１１の間欠動作の周期が長くなるよう再生データ生成部１１が再生データ生成制御部１４によって制御される（Ｓ５）。
【００５４】
図３（ａ）は、上述した間欠動作の周期の変更を仮に行わなかったときに再生データ記憶部１２のデータ格納量の推移を示し、図３（ｂ）は、間欠動作の周期の変更を行ったときに再生データ記憶部１２のデータ格納量の推移を示している。
【００５５】
なお、図３（ａ）および（ｂ）は、時刻ｔ１でコンテンツ再生装置１の状態が非再生変更可能状態から再生変更可能状態になり、時刻ｔ２で操作入力部１５が操作され、再生処理部１３の再生状態が変更された場合の例を示している。
【００５６】
図３（ａ）に示すように、間欠動作の周期の変更を行わなかったときには、再生処理部１３の再生状態の変更が反映された再生データが時刻ｔ３で出力され、ユーザからの要求に対する応答時間がΔｔとなる。
【００５７】
これに対し、図３（ｂ）に示すように、間欠動作の周期の変更を行ったときには、再生処理部１３の再生状態の変更が反映された再生データが時刻ｔ３より早い時刻ｔ３'で出力され、ユーザからの要求に対する応答時間がΔｔより短いΔｔ'となることが分かる。
【００５８】
このように本発明の実施の形態１におけるコンテンツ再生装置１は、コンテンツ再生装置１の状態が再生変更可能状態にあるときに、再生データ生成部１１の間欠動作の周期を短くして、ユーザ要求があったときから、再生処理部１３の再生状態の変更が反映された再生データを出力するまでにかかる時間を平均的に短縮するため、ユーザ要求への応答性を低下させることなく、コンテンツ再生における消費電力を低減することができる。
【００５９】
（実施の形態２）
図４は、本発明の実施の形態２におけるコンテンツ再生装置の構成図である。図４において、図１０，１１と同じ構成要素については同じ符号を用い、説明を省略する。なお、本実施の形態において、操作入力部１１００は、本発明における操作部を構成し、システム制御部１２０５は、本発明における装置状態判断部を構成し、コンテンツ再生制御部１２３０は、本発明における再生データ生成制御部を構成する。
【００６０】
また、図５，図６は本発明の実施の形態２におけるコンテンツ再生処理の流れ図であり、以下、流れ図にしたがって図４の動作を説明する。
【００６１】
図５の流れ図は、操作入力部１１００およびユーザ操作予測機能付きシステム制御部１２００を構成するシステム状態管理部１２１０、システム情報格納部１２２０、コンテンツ再生制御部(A)１２３０、次々状態候補抽出部１２４０、コンテンツ再生制御有無判定部１２５０の処理を示している。S1001からS1003の制御は図１２（a）と同様のため説明を省略する。次々状態候補抽出部１２４０は、システム状態管理部１２１０から次状態"ｎ"を読み出し、次状態"ｎ"がコンテンツ再生状態でない場合（判定結果＝No）にはS1001に制御を戻す（S1004）。次状態"ｎ"がコンテンツ再生状態の場合（判定結果＝Yes）には、次々状態候補抽出部１２４０は、システム情報格納部１２２０からシステム状態遷移情報を読み出し、次状態情報"ｎ"とシステム状態遷移情報から次々状態（"ｎ＋１"と定義する）候補を抽出する（S1005）。コンテンツ再生制御有無判定部１２５０は、次々状態候補"ｎ＋１"にコンテンツ再生と関連する制御が存在するか否かを判定し（S1006）、コンテンツ再生と関連する制御が存在する場合にはコンテンツ再生部１３００の間欠動作間隔を短くするようコンテンツ再生制御部(A)１２３０に通知する（S1007）。また、コンテンツ再生制御有無判定部１２５０は、次々状態候補"ｎ＋１"にコンテンツ再生と関連する制御が存在しない場合にはコンテンツ再生部１３００の間欠動作間隔をS1007で通知したときの間欠動作間隔と比較して長くするようコンテンツ再生制御部(A)１２３０に通知する（S1008）。
【００６２】
図６の流れ図は、コンテンツ再生部１３００を構成する再生データ生成部１３１０、コンテンツ記憶部１３３０、再生データ記憶部１３４０の制御フロー、すなわちコンテンツ再生制御部(A)１２３０処理を示している。S1102からS1105の制御は図１２（b）と同様のため説明を省略する。コンテンツ再生制御部(A)１２３０は、コンテンツ再生制御有無判定部１２５０により指定された間欠動作間隔に従い、S1104の再生データ記憶部１３４０の空き容量閾値αをα１またはα２として再設定する（S1101）。なお、図１２(a)、(b)には記載していないが、再生処理部１３２０は常に再生データ記憶部１３４０に格納された再生データを読みだし再生を続けている。
【００６３】
図１４（a）,(b)で指摘した課題について、本発明によって改善される様子を図７，図８を用いて説明する。なお、図７および図８において、縦軸に付したα１、α２およびβは、再生データ記憶部１３４０の空き容量がそれぞれ閾値α１、α２およびβになったときの再生データ記憶部１３４０のデータ格納量を示している。
【００６４】
図７は、時刻T１´にユーザ要求が発生した場合の再生データ記憶部１３４０のデータ格納量の推移を示している。この場合、本実施形態におけるコンテンツ再生装置は、時刻T1´までに再生データ記憶部１３４０に格納された再生データを消費する時刻T2´まではユーザ要求に未対応のコンテンツを再生するため、ユーザ要求に応答することができない。しかしながら、S1101にて再生データ記憶部１３４０の空き容量検出閾値αをα１と設定した場合（α１＞α２の関係）には、再生データ記憶部１３４０の空き容量検出閾値αをα２と設定した場合と比較して、再生データ記憶部１３４０のデータ格納量の最大値が低減するため、本実施形態におけるコンテンツ再生装置は、従来のコンテンツ再生装置と比較して平均的なユーザ応答性を向上することが可能となった。
【００６５】
また、図８は、図７と異なり時刻T1でユーザ要求に未対応のコンテンツを一旦消去し、改めてユーザ要求に対応したコンテンツを再生データ記憶部１３４０に格納した場合のデータ格納量の推移を示している。この場合時刻T1´から時刻T3´までに再生する予定であった再生データを消去するため、この間のデータ（図８中のS´）を生成するために必要であった電力が無駄になる。しかしながら、S1101にて再生データ記憶部１３４０の空き容量検出閾値αをα１と設定した場合（α１＞α２の関係）には、再生データ記憶部１３４０の空き容量検出閾値αをα２と設定した場合と比較して、消去対象の再生データの最大値が低減するため、本実施形態におけるコンテンツ再生装置は、従来例と比較して平均的な消費電力の浪費量を低減することができる。
【００６６】
図９（a）にコンテンツ再生装置のメニュー階層図を示し、図９（b）に次々状態"ｎ＋１"候補情報の抽出までの動作を示す。
【００６７】
図９（a）のメニュー階層において、「３−１−１）プレイ」、「３−１−２）早送り」、「３−１−３）巻き戻し」、「３−１−４）イコライザ」は、コンテンツ再生制御部１２３０からコンテンツ再生部１３００を制御する処理を含んでおり、「３−１−１）プレイ」、「３−１−２）早送り」、「３−１−３）巻き戻し」、「３−１−４）イコライザ」以外は、コンテンツ再生制御部１２３０からコンテンツ再生部１３００を制御する処理を含んでいないものとする。
【００６８】
図９(b)において、処理Aは、現状態"n−１"と操作入力部１１００で入力されるユーザ操作情報とから次状態"ｎ"を決定する。処理Bは、次状態"ｎ"とシステム情報格納部１２２０から読み出したシステム状態遷移情報とから次々状態"ｎ＋１"候補情報を抽出する。次々状態"ｎ＋１"候補情報としては、「３−１−１）プレイ」、「３−１−２）早送り」、「３−１−３）巻き戻し」、「３−１−４）イコライザ設定」が抽出され、「３−１−５）再生停止」は除外されている。コンテンツ再生制御有無判定部１２５０は、次状態"ｎ"に「３−１）再生」を選択した時点で、コンテンツ再生制御部１２３０からコンテンツ再生部１３００を制御する処理を含む次々状態"ｎ＋１"候補情報が含まれていることを判定し、「３−１−１）プレイ」、「３−１−２）早送り」、「３−１−３）巻き戻し」、「３−１−４）イコライザ設定」が選択される可能性があるとみなし、コンテンツ再生部１３００の間欠動作間隔を短く設定する。一方、コンテンツ再生制御有無判定部１２５０は、次状態"ｎ"を選択した時点で、コンテンツ再生制御部１２３０からコンテンツ再生部１３００を制御する処理を含む次々状態"ｎ＋１"候補情報が含まれていないことを判定した場合には、コンテンツ再生部１３００の間欠動作間隔を長く設定する。
【００６９】
なお、本実施の形態において、再生データ記憶部１３４０の閾値αの設定値を変更することで間欠動作間隔を制御しているが、コンテンツ再生制御部(A)１２３０の制御にタイマを使用し間欠動作間隔を制御しても良い。
【００７０】
また、操作入力部１１００から入力するユーザ操作情報として、携帯端末の開閉検出情報を利用することも可能である。
【産業上の利用可能性】
【００７１】
本発明にかかるコンテンツ再生装置は、バッテリ駆動する機器向けのオーディオプレーヤやAV処理が実施可能な携帯電話等の用途に特に有用である。
【図面の簡単な説明】
【００７２】
【図１】図１は、本発明の実施の形態１におけるコンテンツ再生装置の構成図である。
【図２】図２は、本発明の実施の形態１におけるコンテンツ再生装置の制御フロー図である。
【図３】図３は、本発明の実施の形態１におけるコンテンツ再生装置の再生データ記憶部のデータ格納量の推移を示すタイミング図であり、（ａ）は、間欠動作の周期の変更を仮に行わなかったときの再生データ記憶部のデータ格納量の推移を示すタイミング図であり、（ｂ）は、間欠動作の周期の変更を行ったときの再生データ記憶部のデータ格納量の推移を示すタイミング図である。
【図４】図４は、本発明の実施の形態２におけるコンテンツ再生装置の構成図である。
【図５】図５は、本発明の実施の形態２におけるコンテンツ再生装置の制御フロー図である。
【図６】図６は、本発明の実施の形態２におけるコンテンツ再生装置の制御フロー図である。
【図７】図７は、本発明の実施の形態２におけるコンテンツ再生装置の再生データ記憶部のデータ格納量の推移を示すタイミング図である。
【図８】図８は、本発明の実施の形態２におけるコンテンツ再生装置の再生データ記憶部のデータ格納量の推移を示すタイミング図である。
【図９】図９は、本発明の実施の形態２におけるコンテンツ再生装置のメニュー階層を示す概念図であり、（a）は、コンテンツ再生装置のメニュー階層を示す概念図であり、（b）は、次々状態"ｎ＋１"候補情報の抽出までの動作を説明するための概念図である。
【図１０】図１０は、従来のコンテンツ再生装置の構成図であり、(a)は、従来のコンテンツ再生装置の概略の構成図であり、(b)は、従来のコンテンツ再生装置のシステム制御部を詳細に示す構成図である。
【図１１】図１１は、従来のコンテンツ再生装置の構成図であり、(a)は、従来のコンテンツ再生装置のコンテンツ再生部を詳細に示す構成図であり、(b)は、従来のコンテンツ再生装置のコンテンツ記憶部、再生データ制御部および再生処理部を詳細に示す構成図である。
【図１２】図１２は、従来のコンテンツ再生装置の制御フロー図であり、(a)は、従来のコンテンツ再生装置の操作入力部およびシステム制御部を構成するシステム状態管理部、システム情報格納部、コンテンツ再生制御部の処理を示す制御フロー図であり、(b)は、従来のコンテンツ再生装置のコンテンツ再生部を構成する再生データ生成部、コンテンツ記憶部および再生データ記憶部の処理を示す制御フロー図である。
【図１３】図１３は、従来のコンテンツ再生装置の再生データ記憶部のデータ格納量の推移を示す第１のタイミング図である。
【図１４】図１４は、従来のコンテンツ再生装置の再生データ記憶部のデータ格納量の推移を示す第２のタイミング図であり、(a)は、ユーザ要求発生時に再生データ記憶部から再生データを削除しない場合の再生データ記憶部のデータ格納量の推移を示すタイミング図であり、(b)は、ユーザ要求発生時に再生データ記憶部から再生データを削除する場合の再生データ記憶部のデータ格納量の推移を示すタイミング図である。
【符号の説明】
【００７３】
１  コンテンツ再生装置
１０、１３３０  コンテンツ記憶部
１１、１３１０  再生データ生成部
１２、１３４０  再生データ記憶部
１３、１３２０  再生処理部
１４  再生データ生成制御部
１５、１１００  操作入力部
１６  装置状態判断部
１７  クロック／電源制御部
１２００  ユーザ操作予測機能付きシステム制御部
１２０５  システム状態制御部
１２１０  システム状態管理部
１２２０  システム情報格納部
１２３０  コンテンツ再生制御部(A)
１２４０  次々状態候補抽出部
１２５０  コンテンツ再生制御有無判定部
１３００  コンテンツ再生部
１３１１  サーボ制御回路
１３１２  デジタル信号処理回路
１３１３  ADPCMエンコーダ
１３２１  ADPCMデコーダ
１３２２  DA変換器
１３３１  モータ
１３３２  光ディスク
１３３３  光ピックアップ
２２００  システム制御部
２２３０  コンテンツ再生制御部（B）
【手続補正３】
【補正対象書類名】図面
【補正対象項目名】全図
【補正方法】変更
【補正の内容】
【図１】
2007125737.tif 000017
【図２】
2007125737.tif 000018
【図３】
2007125737.tif 000019
【図４】
2007125737.tif 000020
【図５】
2007125737.tif 000021
【図６】
2007125737.tif 000022
【図７】
2007125737.tif 000023
【図８】
2007125737.tif 000024
【図９】
2007125737.tif 000025
【図１０】
2007125737.tif 000026
【図１１】
2007125737.tif 000027
【図１２】
2007125737.tif 000028
【図１３】
2007125737.tif 000029
【図１４】
2007125737.tif 000030
【手続補正書】
【提出日】平成20年12月4日(2008.12.4)
【手続補正１】
【補正対象書類名】特許請求の範囲
【補正対象項目名】請求項８
【補正方法】変更
【補正の内容】
【請求項８】
前記間欠動作の停止期間に前記再生データ生成部に供給するクロックおよび電源の少なくとも一方を制限するクロック／電源制御部を備えたことを特徴とする請求項１に記載のコンテンツ再生装置。
【国際調査報告】
2007125737.tif 000031
2007125737.tif 000032